(57)【要約】【課題】従来の鉢と同じようにコンパクトに積み重ねることができる手軽さを損なうことなく複数の鉢を並べて置いたときに鉢どおしが一体となって花壇のように見える鉢を提供する。【解決手段】複数の鉢を並べて置いたときにできる隙間と木や草花を観賞する位置から見える側の鉢の側面を覆い隠すカバー１を付加したコーナー用の鉢２、複数の鉢を並べて置いたときにできる隙間と木や草花を観賞する位置から見える側の鉢の側面を覆い隠すカバー１を付加した直線部分用の鉢３とカバーを付加しない背面用の鉢４を設置場所や好みに応じて自由に組み合わせて並べ鉢を並べて置いたときにできる隙間と木や草花を観賞する位置から見える側の鉢の側面を覆い隠すカバー１を連結して置くことにより鉢どおしが一体となって花壇のように見える鉢のセットを提供する。【選択図】図１
2011019499.tif 000002
【特許請求の範囲】
【請求項１】
複数の鉢を並べて置いたときにできる隙間と鉢の側面を覆い隠すカバー１を付加したコーナー用の鉢２、鉢と鉢の間の隙間と鉢の側面を覆い隠すカバー１を付加した直線部分用の鉢３およびカバーを付加しない背面用の鉢４を設置場所や好みに応じて自由に組み合わせて並べ、鉢を並べて置いたときにできる隙間と木や草花を観賞する位置から見える側の鉢の側面を覆い隠すカバーを連結して置くことにより鉢どおしが一体となって花壇のように見える鉢のセット
【請求項２】
分離型にした複数の鉢を並べて置いたときにできる隙間と鉢の側面を覆い隠すカバー１
【発明の詳細な説明】
【技術分野】
【０００１】木や草花を植える鉢に関するものである。
【背景技術】
【０００２】  従来の鉢は底の部分より上側の開口部が広い上広がりの台形の形を基本形とし、上端部分の開口部を補強したものが一般的である。鉢の大きさや形状は植えられる木や草花の種類や大きさに合わせてデザインされている。鉢を上広がりの台形にすることによりコンパクトに積み重ねて保管することができる利点がある。また木や草花が植えられた鉢を単独で置かれた時は、底の部分より上側が広い上広がりの台形の形状は植えられた木や草花と鉢がバランスよく見えるデザインである。【０００３】しかしいろいろな種類の鉢植えの木や草花をいっぱい並べると、植えられる草花や木に合わせて鉢の大きさやデザインが選ばれているため形状や色が異なる鉢もいっぱい並んでしまう。デザインや大きさの異なる鉢がいっぱい並んでしまうと置かれた鉢植えの木や草花全体を眺めたときに鉢がとても乱雑に見える。鉢が乱雑に見えることによりベランダや玄関先に鉢植えの木や草花をいっぱい並べても花壇に植えられた木や草花のように綺麗に見えない。【０００４】同じデザインの鉢をくっつけて並べた場合でも従来の鉢は上広がりの台形を基本形としているため鉢と鉢の間には必ず三角形または台形の隙間ができてしまい鉢が一体化して見えない。【０００５】鉢の側面を垂直にすれば鉢と鉢の間の隙間をなく並べることができ並べられた鉢が一体化して見えるようにすることができる。鉢の側面を垂直にして花壇の縁取りを兼用した鉢はすでに考案されているが鉢の側面を垂直にしてしまうと従来の鉢のようにコンパクトに積み重ねることができなくなり運搬時や保管時にとてもかさばってしまう。運搬時や保管時にとてもかさばると運搬や保管にかかるコストが高くなってしまう。
【先行技術文献】
【特許文献】
【０００６】  特許公開平１１−２８９８７４
特許公開平９−２６２０２８
特許公開２００４−３１３１６２
【発明の概要】
【発明が解決しようとする課題】
【０００７】従来の鉢と同じようにコンパクトに積み重ねることができる手軽さを損なうことなく複数の鉢を並べて置いたときに鉢どおしが一体となって花壇のように見える鉢を提供する。
【課題を解決するための手段】
【０００８】複数の鉢を並べて置いたときにできる隙間と木や草花を観賞する位置から見える側の鉢の側面を覆い隠すカバーを付加したコーナー用の鉢、複数の鉢を並べて置いたときにできる隙間と木や草花を観賞する位置から見える側の鉢の側面を覆い隠すカバーを付加した直線部分用の鉢と、カバーを付加しない背面用の鉢を設置場所や好みに応じて自由に組み合わせて並べ鉢を並べて置いたときにできる隙間と木や草花を観賞する位置から見える側の鉢の側面を覆い隠すカバーを連結して置くことにより鉢どおしが一体となって花壇のように見える鉢のセットを提供する。【０００９】複数の鉢を並べて置いたときにできる隙間と鉢の側面を覆い隠すカバーはコーナー用の鉢には前面および側面に付加する。直線部分用の鉢には前面のみに付加する。鉢と鉢の間の隙間と鉢の側面を覆い隠すカバーは鉢本体と分離型にしても一体型にしてもよい。カバーを分離型にする場合は鉢の側面部分に沿って差し込むことによって鉢とカバーを一体化できるようにする。【００１０】鉢の断面形状は底の部分より上側が広い上広がりの台形を基本とし上端の開口部分に段差をつけて補強した形状を基本形とする。カバーを分離型にする場合は鉢側面を覆い隠す断面形状のカバーを鉢の側面の内側に沿って差し込み重ね合わせるようにして一体化する。カバーを一体型とする場合は鉢の側面を被い隠すカバーを付加する部分は外側に折り返してその先を伸ばしカバーを形成する。【００１１】コーナー用の鉢を上から見た上端部分の形状は正方形または扇型を基本形とする。直線部分および背面用の鉢は正方形または長方形を基本形とする。長方形にする場合は正方形を複数並べた大きさに設定することにより鉢を隙間と鉢の側面なく縦横自由に組み合わせて並べることができる。【００１２】鉢と鉢の間の隙間と鉢の側面を覆い隠すカバーを付加した鉢は単体ではなく複数の鉢を並べて使うようデザインされる。コーナー用の鉢を２個並べた状態が最もコンパクトな形となる。コーナー用の鉢の間に直線部分用の鉢を追加して並べていくことにより横方向に伸ばしていくことができる。コーナー用の鉢の背面に鉢を縦横に組み合わせて置いていくことにより前後方向に幅を広げることができる。【００１３】鉢を並べたときに花壇のように見えるようにするには背面に置く鉢はできるだけ目立たないデザインにしたほうがよい。鉢の存在を目立たなくするには上側の端を折り返して強度を持たせる形状ではなく上側の端の部分に段差を付けて強度を増した形状にする。木や草花を鉢に植えたときに段差の上まで土が被るような形状にすることにより上から段差が見えないようにする。【００１４】前面または前面および側面に付加したカバーは垂直または裾広がりになるよう取り付けるとともに鉢を並べて置いたときにカバーどおしを隙間なく連結できるようにする。カバーとカバーどおしを重ね合わせたり、差し込んだり、補助板を取り付ける等の方法によりカバーどおしを連結することができる。カバーをリブブロックのように縦縞の凹凸のあるデザインにすると連結部分が目立たないがカバー表面の素材やデザインは自由に設定できるので連結方法やカバーのデザインは限定されるものではない。
【発明の効果】
【００１５】本発明は、以上説明したように構成されており以下に記載したような効果を得ることができる。【００１６】複数の鉢を並べて置いたときにできる隙間と鉢の側面を覆い隠し一体となって見えるようにデザインされたカバーを付加したコーナー用の鉢と直線部分用の鉢を設置場所や好みに応じて並べることにより鉢の外周部分を隙間なく一体となって見えるようにすることができる。並べられた鉢のカバーが隙間なく一体となって見えるようにすることにより花壇の縁取りのように見せることができる。【００１７】鉢と鉢の間の隙間と鉢の側面を覆い隠すカバーを分離型にすることによりカバーを取り付けなければ従来の鉢と同じように単体で使用することもできる。また背面用の鉢と直線用の鉢を共有できる。カバーのデザインは自由に設定できるが分離型にすることによりカバーの変更が容易になる。鉢と鉢の間の隙間と鉢の側面を覆い隠すカバーを鉢と一体型にするとカバーを分離型にするよりも鉢単体のコストを安く提供できる。花壇の縁取りのように並べるには一体型の方が分離型に比べ手間がかからない。【００１８】鉢と鉢の間の隙間と鉢の側面を覆い隠すカバーを付加した鉢はコーナー用を２個並べた状態が最もコンパクトな形となる。コーナー用の鉢の間に直線部分用の鉢を追加して並べることにより、自由にアレンジして並べることが可能となる。また後方に背面用の鉢を並べることにより前後方向にも幅を広げることが可能である。【００１９】鉢の断面形状は上を入れる部分は従来の鉢と同じように底の部分より上側が広い上広がりの台形を基本とし、前面または前面および側面に付加するカバーは板状で垂直または裾広がりになるよう取り付けることによって従来の鉢と同じように鉢をコンパクトに積み重ねることができる。【００２０】鉢と鉢の間の隙間と鉢の側面を覆い隠すカバーを付加することによりカバーと鉢の側面によって二重構造となる。鉢の外周部分になる側面が二重構造になることによって土と接する側面部分に直接日光が直接当たらなくなり直射日光による土の温度上昇を抑えることができる。また従来のプラスチック鉢は通気性が悪いという欠点があったが土と接する側面に穴をあけて通気性を高くすることもできる。側面に穴をあけても鉢と鉢の間の隙間と鉢の側面を覆い隠すカバーによって隠されるので美観を損うことがない。
【図面の簡単な説明】
【００２１】
【図１】はコーナー用の鉢、直線用の鉢と背面用の鉢を組み合わせて並べた実施例を示す正面図である。
【図２】は形状を正方形にしたコーナー用の鉢、直線用の鉢と背面用の鉢を組み合わせて並べた実施例を示す平面図である。
【図３】は形状を扇方にしたコーナー用の鉢、直線用の鉢と背面用の鉢を組み合わせて並べた実施例を示す平面図である。
【図４】は鉢と鉢の間の隙間と鉢の側面を覆い隠すカバーを分離型にして付加したコーナー用の鉢の実施例を示す平面図である。
【図５】は鉢と鉢の間の隙間と鉢の側面を覆い隠すカバーを分離型にして付加したコーナー用の鉢の実施例を示す正面図である。
【図６】は鉢と鉢の間の隙間と鉢の側面を覆い隠すカバーを分離型にして付加したコーナー用の鉢の実施例を示す断面図である。
【図７】は鉢と鉢の間の隙間と鉢の側面を覆い隠すカバーを分離型にして付加した直線部分用の鉢の実施例を示す平面図である。
【図８】は鉢と鉢の間の隙間と鉢の側面を覆い隠すカバーを分離型にして付加した直線部分用の鉢の実施例を示す正面図である。
【図９】は鉢と鉢の間の隙間と鉢の側面を覆い隠すカバーを分離型にして付加した直線部分用の鉢の実施例を示す断面図である。
【図１０】は鉢と鉢の間の隙間と鉢の側面を覆い隠すカバーを一体型にして付加した直線部分用の鉢の実施例を示す平面図である。
【図１１】は鉢と鉢の間の隙間と鉢の側面を覆い隠すカバーを一体型にして付加した直線部分用の鉢の実施例を示す正面図である。
【図１２】は鉢と鉢の間の隙間と鉢の側面を覆い隠すカバーを一体型にして付加した直線部分用の鉢の実施例を示す断面図である。
【図１３】は鉢と鉢の間の隙間と鉢の側面を覆い隠すカバーを付加しない背面用の鉢の実施例を示す平面図である。
【図１４】は鉢と鉢の間の隙間と鉢の側面を覆い隠すカバーを付加しない背面用の鉢の実施例を示す正面図である。
【発明を実施するための形態】
【００２２】発明の実施の形態を代表的な実施例にもとづき図面１から図面１４を参照して説明する。
【実施例】
【００２３】図１から図３に示すように複数の鉢を並べて置いたときにできる隙間と鉢の側面を覆い隠すカバー１を付加したコーナー用の鉢２、複数の鉢を並べて置いたときにできる隙間と鉢の側面を覆い隠すカバー１を付加した直線部分用の鉢３とカバーを付加しない背面用の鉢４を設置場所や好みに応じて自由に組み合わせて並べ、鉢を並べて置いたときにできる隙間と木や草花を観賞する位置から見える側の鉢の側面を覆い隠すカバー１を連結して並べる。【００２４】複数の鉢を並べて置いたときにできる隙間と鉢の側面を覆い隠すカバー１は図４から図６に示すようにコーナー用の鉢２には前面および側面に付加する。図７から図９に示すように直線部分用の鉢３には前面のみに付加する。鉢と鉢の間の隙間と鉢の側面を覆い隠すカバー１は鉢本体と分離型にしても一体型にしてもよい。カバー１を分離型にする場合は鉢の側面５の内側に沿って差し込み一体化できるようにする。【００２５】鉢の断面形状は図６に示すように底の部分より上側が広い上広がりの台形を基本とし上端の開口部分に段差６をつけて補強した形状を基本形とする。段差は鉢に入れる土によって覆いかぶされ見えなくなる位置につける。カバー１を分離型にする場合は図４から図９に示すように鉢の側面を覆い隠すカバー１を、段差６をつけて上端部分を補強した鉢の側面５の内側に沿って差し込み重ね合わせるようにして一体化する。カバー１を一体型とする場合は図１０から図１２に示すように鉢の側面を被い隠すカバーを付加する部分は外側に折り返すことにより強度を確保しその先を伸ばした形状にする。カバーを一体型とする場合は鉢の側面７に段差をつけなくてもよい。【００２６】  図４から図１２に示すように前面または前面および側面に付加したカバー１は鉢を並べたときに隙間が出来ないように側面全体と鉢と鉢を並べて置いた時にできる空間を隠す大きさが必要となる。前面または前面および側面に付加したカバー１の下部は外側に少し折り返した形状にすることにより強度を高めることができる。前面または前面および側面に付加したカバー１は鉢を積み重ねられるように垂直または外側に裾広がりになるように設置する。【００２７】  鉢を並べて置いたときにカバー１どおしを隙間なく連結できるようにする。カバーとカバーどおしを重ね合わせたり、差し込んだり、補助板を取り付ける等の方法によりカバーどおしを連結することができる。カバーとカバーどおしを重ね合わせるには鉢本体の横幅よりもカバーの横幅を広くする必要がある。補助板を使ってカバーどおしを連結する場合は鉢本体と同じ幅でもよい。つなぎ目を目立たないようにするにはリブブロックのような縦縞の凹凸のデザインが一番適しているが、カバー１の表面はいろいろなデザインにすることができるのでこのデザインに限定されるものではない。【００２８】図２及び図３に示すようにコーナー用の鉢２を上から見た上端部分の形状は正方形、または扇型を基本形とする。直線部分用の鉢３および背面用の鉢４は正方形または長方形を基本形とする。長方形にする場合は正方形を複数並べた大きさに設定することにより鉢を隙間なく縦横自由に組み合わせて並べることができる。鉢底面の形状は底の部分より上側が広い上広がりの台形��基本とする形状であれば形状は限定されない。【００２９】鉢を並べたときに花壇のように見えるようにするには背面に置く鉢４は鉢の存在ができるだけ目立たないデザインにしたほうがよい。鉢４の存在を目立たなくするには上側の端を折り返して強度を持たせる形状ではなく上側の端の部分に段差６を付けて強度を増した形状にする。鉢を並べたとき上から段差６が見えないように段差６は鉢に入れる土によって覆いかぶされ見えなくなる位置につける。【００３０】鉢と鉢の間の隙間と鉢の側面を覆い隠すカバー１を付加した鉢は単体ではなく複数の鉢を並べて使用するようデザインされる。コーナー用の鉢２を並べた状態が最もコンパクトな形となる。コーナー用の鉢２の間に直線部分用の鉢３を並べていくことにより横方向に長く伸ばしていくことができる。コーナー用の鉢２及び直線用の鉢３の背面に鉢４またはコーナー用の鉢２及び直線用の鉢３を縦または横に組み合わせて置いていくことにより前後方向に幅を広げることができる。【００３１】カバー付きの鉢の並べ方は設置場所や好みに応じていろいろ考えられるが図面２と図面３に代表的な実施例を示す。
【産業上の利用可能性】
【００３２】都市部の住宅では広い庭を確保するのは難しく花壇を作ることができない世帯が多くあるが、従来のプランターと同じようにベランダや玄関先カバーを付加した鉢を並べることにより手軽にベランダや玄関先の空スペースを花壇のように見せることができる。【００３３】  花壇を作るには庭や公園が必要でその維持管理も大変である。花壇の花の植え替えは多くの労力を必要とし植えられた木や草花の開花時期を合わせるのも難しい。プランターを使って花壇ができれば鉢を置き換えるだけ花を入れ替えることができ管理も楽になる。
【符号の説明】
【００３４】１  鉢と鉢の間の隙間と鉢の側面を覆い隠すカバー
２  鉢と鉢の間の隙間と鉢の側面を覆い隠すカバーを付加したコーナー用の鉢
３  鉢と鉢の間の隙間と鉢の側面を覆い隠すカバーを付加した直線部分用の鉢
４  背面用の鉢
５  段差をつけて上端部分を補強した鉢の側面
６  鉢上端の開口部を補強する段差
７  鉢の側面
【図１】
2011019499.tif 000003
【図２】
2011019499.tif 000004
【図３】
2011019499.tif 000005
【図４】
2011019499.tif 000006
【図５】
2011019499.tif 000007
【図６】
2011019499.tif 000008
【図７】
2011019499.tif 000009
【図８】
2011019499.tif 000010
【図９】
2011019499.tif 000011
【図１０】
2011019499.tif 000012
【図１１】
2011019499.tif 000013
【図１２】
2011019499.tif 000014
【図１３】
2011019499.tif 000015
【図１４】
2011019499.tif 000016